【手続補正書】
【提出日】平成27年10月9日(2015.10.9)
【手続補正１】
【補正対象書類名】特許請求の範囲
【補正対象項目名】全文
【補正方法】変更
【補正の内容】
【特許請求の範囲】
【請求項１】
フレキシブル帯域幅キャリアシステムの周波数間測定のための方法であって、
ユーザ機器で、２つ以上の異なる帯域幅キャリアに対して周波数間測定を容易にするように構成された１つまたは複数のパラメータを識別することと、ここで、前記帯域幅キャリアのうち少なくとも１つは、通常帯域幅キャリアに対して削減帯域幅を有するフレキシブル帯域幅キャリアである、
前記２つ以上の異なる帯域幅キャリアに対して１つまたは複数の周波数間測定を実行するために、前記１つまたは複数の識別されたパラメータを使用することと
を備え、
前記１つまたは複数の識別されたパラメータのうち少なくとも１つは、前記２つ以上の異なる帯域幅キャリアの各々のために使用されるのと同じパラメータである、方法。
【請求項２】
前記１つまたは複数のパラメータを識別することは、
前記２つ以上の異なる帯域幅キャリアに対して前記周波数間測定を容易にするために、１つまたは複数のセル探索コヒーレント累積長を低減することを備える、請求項１に記載の方法。
【請求項３】
前記１つまたは複数のパラメータを識別することは、
前記２つ以上の異なる帯域幅キャリアに対して前記周波数間測定を容易にするために、１つまたは複数のセル探索非コヒーレント累積長を低減することを備える、請求項１に記載の方法。
【請求項４】
前記１つまたは複数のパラメータを識別することは、
前記２つ以上の異なる帯域幅キャリアに対して前記周波数間測定を容易にするために、送信ギャップパターンの繰り返しの増加量を受信することを備える、請求項１に記載の方法。
【請求項５】
前記１つまたは複数のパラメータを識別することは、
前記２つ以上の異なる帯域幅キャリアに対して前記周波数間測定を容易にするために、送信ギャップ長の増大を受信することを備える、請求項１に記載の方法。
【請求項６】
前記１つまたは複数のパラメータを識別することは、
前記２つ以上の異なる帯域幅キャリアに対して前記周波数間測定を容易にするために、ウィンドウサイズを縮小することを備える、請求項１に記載の方法。
【請求項７】
前記１つまたは複数のパラメータを識別することは、少なくとも、
前記ユーザ機器で、通常帯域幅キャリアシステムのための１つまたは複数の圧縮されたギャップ構成に対応する、フレキシブル帯域幅キャリアシステムのための１つまたは複数の圧縮されたギャップ構成を作成することをさらに備える、請求項１に記載の方法。
【請求項８】
前記１つまたは複数のパラメータを識別することは、少なくとも、
前記ユーザ機器で、通常帯域幅キャリアシステムのための１つまたは複数の圧縮されたギャップ構成に対応する、フレキシブル帯域幅キャリアシステムのための１つまたは複数の圧縮されたギャップ構成を記憶することをさらに備える、請求項１に記載の方法。
【請求項９】
前記１つまたは複数のパラメータを識別することは、少なくとも、
前記ユーザ機器で、通常セルを探索するための、基地局によって送信された１つまたは複数の圧縮されたギャップ構成を、１つまたは複数のフレキシブル帯域幅セル用の１つまたは複数の他の圧縮されたギャップ構成にマップし、記憶することをさらに備える、請求項１に記載の方法。
【請求項１０】
前記１つまたは複数のパラメータは、少なくとも１つまたは複数の圧縮モードパラメータ、タイミング情報、または探索パラメータを含む、請求項１に記載の方法。
【請求項１１】
前記帯域幅キャリアのうち少なくとも１つは、通常帯域幅キャリアである、請求項１に記載の方法。
【請求項１２】
前記帯域幅キャリアのうち少なくとも１つは、近接セル内の前記フレキシブル帯域幅キャリアよりも高い帯域幅をもつ、サービングセル内のフレキシブル帯域幅キャリアを含む、請求項１に記載の方法。
【請求項１３】
前記周波数間測定は、接続モードにおいて実行される、請求項１に記載の方法。
【請求項１４】
前記１つまたは複数の識別されたパラメータを使用することは、
前記２つ以上の異なる帯域幅キャリアに対して前記周波数間測定を容易にするために、前記１つまたは複数の識別されたパラメータのうち別個のパラメータを使用することを備える、請求項１に記載の方法。
【請求項１５】
前記別個のパラメータは、同じ時間に、または別個の時間に使用されるように構成される、請求項１４に記載の方法。
【請求項１６】
前記２つ以上の異なる帯域幅キャリアに対して前記周波数間測定を容易にするために、無効送信ギャップパターン識別子を使用することをさらに備える、請求項１４に記載の方法。
【請求項１７】
レガシーユーザ機器を識別するために、前記無効送信ギャップパターン識別子を使用することをさらに備える、請求項１６に記載の方法。
【請求項１８】
前記１つまたは複数の識別されたパラメータを使用することは、
前記２つ以上の異なる帯域幅キャリアに対して前記周波数間測定を容易にするために、前記１つまたは複数の識別されたパラメータのうち同じ１つまたは複数のパラメータを使用することを備える、請求項１に記載の方法。
【請求項１９】
前記１つまたは複数のパラメータを識別することは、
前記１つまたは複数のパラメータを受信することを備え、前記１つまたは複数のパラメータは、基地局から送信される、請求項１に記載の方法。
【請求項２０】
前記１つまたは複数のパラメータを識別することは、
前記１つまたは複数のパラメータを判断することを備え、前記１つまたは複数のパラメータが前記ユーザ機器の記憶媒体に記憶される、請求項１に記載の方法。
【請求項２１】
前記１つまたは複数のパラメータを使用することは、
通常帯域幅キャリアに対して、および前記フレキシブル帯域幅キャリアに対して、前記周波数間測定を容易にするために、前記１つまたは複数の識別されたパラメータのうち同じ１つまたは複数のパラメータを使用することを備える、請求項１に記載の方法。
【請求項２２】
前記２つ以上の異なる帯域幅キャリアのうち少なくとも１つに対して前記周波数間測定を実行するとき、膨張時間で時刻ソースを稼動することをさらに備える、請求項１に記載の方法。
【請求項２３】
２つ以上の異なる帯域幅キャリアに対して周波数間測定を容易にするように構成された１つまたは複数のパラメータを識別するための手段と、ここで、前記帯域幅キャリアのうち少なくとも１つは、通常帯域幅キャリアに対して削減帯域幅を有するフレキシブル帯域幅キャリアである、
前記２つ以上の異なる帯域幅キャリアに対して１つまたは複数の周波数間測定を実行するために、前記１つまたは複数の識別されたパラメータを使用するための手段と
を備え、
前記１つまたは複数の識別されたパラメータのうち少なくとも１つは、前記２つ以上の異なる帯域幅キャリアの各々のために使用されるのと同じパラメータである、ワイヤレス通信システム。
【請求項２４】
前記１つまたは複数のパラメータを識別するための前記手段は、
前記２つ以上の異なる帯域幅キャリアに対して前記周波数間測定を容易にするために、１つまたは複数のセル探索コヒーレント累積長を低減するための手段、
前記２つ以上の異なる帯域幅キャリアに対して前記周波数間測定を容易にするために、１つまたは複数のセル探索非コヒーレント累積長を低減するための手段、
前記２つ以上の異なる帯域幅キャリアに対して前記周波数間測定を容易にするために、送信ギャップパターンの繰り返しの量を増大するための手段、
前記２つ以上の異なる帯域幅キャリアに対して前記周波数間測定を容易にするために、送信ギャップの長さを増大させるための手段、または
前記２つ以上の異なる帯域幅キャリアに対して前記周波数間測定を容易にするために、ウィンドウサイズを縮小するための手段
のうち少なくとも１つを備える、請求項２３に記載のワイヤレス通信システム。
【請求項２５】
前記１つまたは複数の識別されたパラメータを使用するための前記手段は、
前記２つ以上の異なる帯域幅キャリアに対して前記周波数間測定を容易にするために、前記１つまたは複数の識別されたパラメータのうち別個のパラメータを使用するための手段を備える、請求項２３に記載のワイヤレス通信システム。
【請求項２６】
前記１つまたは複数の識別されたパラメータを使用するための前記手段は、
前記２つ以上の異なる帯域幅キャリアに対して前記周波数間測定を容易にするために、前記１つまたは複数の識別されたパラメータのうち同じ１つまたは複数のパラメータを使用するための手段を備える、請求項２３に記載のワイヤレス通信システム。
【請求項２７】
前記１つまたは複数のパラメータを識別するための前記手段は、
前記１つまたは複数のパラメータが基地局から送信されるときに、前記１つまたは複数のパラメータを受信するための手段、または
前記１つまたは複数のパラメータが前記ワイヤレス通信システムの記憶媒体に記憶されるときに、前記１つまたは複数のパラメータを判断するための手段
のうち少なくとも１つを備える、請求項２３に記載のワイヤレス通信システム。
【請求項２８】
メモリと通信可能に結合された少なくとも１つのプロセッサを備えるワイヤレス通信デバイスであって、前記メモリが実行可能コードを備え、前記コードは、前記少なくとも１つのプロセッサによって実行されると、前記少なくとも１つのプロセッサに、
２つ以上の異なる帯域幅キャリアに対して周波数間測定を容易にするように構成された１つまたは複数のパラメータを識別することと、ここで前記帯域幅キャリアのうち少なくとも１つは、通常帯域幅キャリアに対して削減帯域幅を有するフレキシブル帯域幅キャリアである、
前記２つ以上の異なる帯域幅キャリアに対して１つまたは複数の周波数間測定を実行するために、前記１つまたは複数の識別されたパラメータを使用することと
を行わせ、
前記１つまたは複数の識別されたパラメータのうち少なくとも１つは、前記２つ以上の異なる帯域幅キャリアの各々のために使用されるのと同じパラメータである、ワイヤレス通信デバイス。
【請求項２９】
前記実行可能コードは、前記少なくとも１つのプロセッサに、
前記２つ以上の異なる帯域幅キャリアに対して前記周波数間測定を容易にするために、１つまたは複数のセル探索コヒーレント累積長を低減すること、
前記２つ以上の異なる帯域幅キャリアに対して前記周波数間測定を容易にするために、１つまたは複数のセル探索非コヒーレント累積長を低減すること、
前記２つ以上の異なる帯域幅キャリアに対して前記周波数間測定を容易にするために、送信ギャップパターンの繰り返しの量を増大すること、
前記２つ以上の異なる帯域幅キャリアに対して前記周波数間測定を容易にするために、送信ギャップの長さを増大すること、または
前記２つ以上の異なる帯域幅キャリアに対して前記周波数間測定を容易にするために、ウィンドウサイズを縮小すること
のうち少なくとも１つを実行させる、請求項２８に記載のワイヤレス通信デバイス。
【請求項３０】
前記実行可能コードは、前記少なくとも１つのプロセッサに、
前記２つ以上の異なる帯域幅キャリアに対して前記周波数間測定を容易にするために、前記１つまたは複数の識別されたパラメータのうち別個のパラメータを使用することを行わせる、請求項２８に記載のワイヤレス通信デバイス。
【請求項３１】
前記実行可能コードは、前記少なくとも１つのプロセッサに、
前記２つ以上の異なる帯域幅キャリアに対して前記周波数間測定を容易にするために、前記１つまたは複数の識別されたパラメータのうち同じ１つまたは複数のパラメータを使用すること
を行わせる、請求項２８に記載のワイヤレス通信デバイス。
【請求項３２】
前記実行可能コードは、前記少なくとも１つのプロセッサに、
前記１つまたは複数のパラメータが基地局から送信されると、前記１つまたは複数のパラメータを受信すること、または
前記１つまたは複数のパラメータが前記ワイヤレス通信デバイスの記憶媒体に記憶されると、前記１つまたは複数のパラメータを判断すること
のうち少なくとも１つを実行させる、請求項２８に記載のワイヤレス通信デバイス。
【請求項３３】
非一時的コンピュータ可読媒体を備えるフレキシブル帯域幅キャリアシステムの周波数間測定のためのコンピュータプログラム製品であって、
前記非一時的コンピュータ可読媒体は、
ユーザ機器で、２つ以上の異なる帯域幅キャリアに対して周波数間測定を容易にするように構成された１つまたは複数のパラメータを識別するように構成されたコードと、ここで、前記帯域幅キャリアのうち少なくとも１つは、通常帯域幅キャリアに対して削減帯域幅を有するフレキシブル帯域幅キャリアである、
前記２つ以上の異なる帯域幅キャリアに対して１つまたは複数の周波数間測定を実行するために、前記１つまたは複数の識別されたパラメータを使用するように構成されたコードと
を備え、
前記１つまたは複数の識別されたパラメータのうち少なくとも１つは、前記２つ以上の異なる帯域幅キャリアの各々のために使用されるのと同じパラメータである、コンピュータプログラム製品。
【請求項３４】
前記非一時的コンピュータ可読媒体は、
前記２つ以上の異なる帯域幅キャリアに対して前記周波数間測定を容易にするために、１つまたは複数のセル探索コヒーレント累積長を低減するように構成されたコード、
前記２つ以上の異なる帯域幅キャリアに対して前記周波数間測定を容易にするために、１つまたは複数のセル探索非コヒーレント累積長を低減するように構成されたコード、
前記２つ以上の異なる帯域幅キャリアに対して前記周波数間測定を容易にするために、送信ギャップパターンの繰り返しの量を増大するように構成されたコード、
前記２つ以上の異なる帯域幅キャリアに対して前記周波数間測定を容易にするために、送信ギャップの長さを増大するように構成されたコード、または
前記２つ以上の異なる帯域幅キャリアに対して前記周波数間測定を容易にするために、ウィンドウサイズを縮小するように構成されたコード
のうち少なくとも１つをさらに備える、請求項３３に記載のコンピュータプログラム製品。
【請求項３５】
前記非一時的コンピュータ可読媒体が、
前記２つ以上の異なる帯域幅キャリアに対して前記周波数間測定を容易にするために、前記１つまたは複数の識別されたパラメータのうち別個のパラメータを使用するように構成されたコード
をさらに備える、請求項３３に記載のコンピュータプログラム製品。
【請求項３６】
前記非一時的コンピュータ可読媒体は、
前記２つ以上の異なる帯域幅キャリアに対して前記周波数間測定を容易にするために、前記１つまたは複数の識別されたパラメータのうち同じ１つまたは複数のパラメータを使用するように構成されたコード
をさらに備える、請求項３３に記載のコンピュータプログラム製品。
【請求項３７】
前記非一時的コンピュータ可読媒体は、
前記１つまたは複数のパラメータが基地局から送信されると、前記１つまたは複数のパラメータを受信するように構成されたコード、または
前記１つまたは複数のパラメータが前記ユーザ機器の記憶媒体に記憶されると、前記１つまたは複数のパラメータを判断するように構成されたコードの
うち少なくとも１つをさらに備える、請求項３３に記載のコンピュータプログラム製品。
【請求項３８】
フレキシブル帯域幅キャリアシステムの周波数間測定のための方法であって、
２つ以上の異なる帯域幅キャリアに対して周波数間測定を容易にするように構成された１つまたは複数のパラメータを識別することと、ここで、前記帯域幅キャリアのうち少なくとも１つは、通常帯域幅キャリアに対して削減帯域幅を有するフレキシブル帯域幅キャリアである、
前記２つ以上の異なる帯域幅キャリアに対して前記周波数間測定を容易にするために、前記１つまたは複数の識別されたパラメータを１つまたは複数のユーザ機器に送信することと
を備え、
前記１つまたは複数の識別されたパラメータのうち少なくとも１つは、前記２つ以上の異なる帯域幅キャリアの各々のために使用されるのと同じパラメータである、方法。
【請求項３９】
前記１つまたは複数のパラメータを識別することは、
前記２つ以上の異なる帯域幅キャリアに対して前記周波数間測定を容易にするために、１つまたは複数のセル探索コヒーレント累積長を低減することを備える、請求項３８に記載の方法。
【請求項４０】
前記１つまたは複数のパラメータを識別することは、
前記２つ以上の異なる帯域幅キャリアに対して前記周波数間測定を容易にするために、１つまたは複数の非コヒーレント累積長を低減することを備える、請求項３８に記載の方法。
【請求項４１】
前記１つまたは複数のパラメータを識別することは、
前記２つ以上の異なる帯域幅キャリアに対して前記周波数間測定を容易にするために、送信ギャップパターンの繰り返しの量を増大させることを備える、請求項３８に記載の方法。
【請求項４２】
前記１つまたは複数のパラメータを識別することは、
前記２つ以上の異なる帯域幅キャリアに対して前記周波数間測定を容易にするために、送信ギャップの長さを増大することを備える、請求項３８に記載の方法。
【請求項４３】
前記１つまたは複数のパラメータを識別することは、
前記２つ以上の異なる帯域幅キャリアに対して前記周波数間測定を容易にするために、ウィンドウサイズを縮小することを備える、請求項３８に記載の方法。
【請求項４４】
前記１つまたは複数の識別されたパラメータは、少なくとも１つまたは複数の圧縮モードパラメータ、タイミング情報、または探索パラメータを含む、請求項３８に記載の方法。
【請求項４５】
前記帯域幅キャリアのうち前記少なくとも１つは、通常帯域幅キャリアである、請求項３８に記載の方法。
【請求項４６】
前記１つまたは複数の識別されたパラメータのうち別個のパラメータは、前記２つ以上の異なる帯域幅キャリアに対して前記周波数間測定を容易にするように構成される、請求項３８に記載の方法。
【請求項４７】
前記１つまたは複数の識別されたパラメータのうち同じパラメータは、前記２つ以上の異なる帯域幅キャリアに対して前記周波数間測定を容易にするように構成される、請求項３８に記載の方法。
【請求項４８】
前記１つまたは複数のパラメータを識別することは、
前記１つまたは複数のパラメータを判断することを備え、前記１つまたは複数のパラメータは、記憶媒体に記憶される、請求項３８に記載の方法。
【請求項４９】
前記１つまたは複数の識別されたパラメータのうち同じパラメータは、通常帯域幅キャリアに対して、および前記フレキシブル帯域幅キャリアに対して、前記周波数間測定を容易にするように構成される、請求項３８に記載の方法。
【請求項５０】
２つ以上の異なる帯域幅キャリアに対して周波数間測定を容易にするように構成された１つまたは複数のパラメータを識別するための手段と、ここで、前記帯域幅キャリアのうち少なくとも１つは、通常帯域幅キャリアに対して削減帯域幅を有するフレキシブル帯域幅キャリアである、
前記２つ以上の異なる帯域幅キャリアに対して前記周波数間測定を容易にするために、前記１つまたは複数の識別されたパラメータを１つまたは複数のユーザ機器に送信するための手段と
を備え、
前記１つまたは複数の識別されたパラメータのうち少なくとも１つは、前記２つ以上の異なる帯域幅キャリアの各々のために使用されるのと同じパラメータである、ワイヤレス通信システム。
【請求項５１】
前記１つまたは複数のパラメータを識別するための前記手段は、
前記２つ以上の異なる帯域幅キャリアに対して前記周波数間測定を容易にするために、１つまたは複数のセル探索コヒーレント累積長を低減するための手段、
前記２つ以上の異なる帯域幅キャリアに対して前記周波数間測定を容易にするために、１つまたは複数のセル探索非コヒーレント累積長を低減するための手段、
前記２つ以上の異なる帯域幅キャリアに対して前記周波数間測定を容易にするために、送信ギャップパターンの繰り返しの量を増大するための手段、
前記２つ以上の異なる帯域幅キャリアに対して前記周波数間測定を容易にするために、送信ギャップの長さを増大するための手段、または
前記２つ以上の異なる帯域幅キャリアに対して前記周波数間測定を容易にするために、ウィンドウサイズを縮小するための手段
のうち少なくとも１つを備える、請求項５０に記載のワイヤレス通信システム。
【請求項５２】
前記１つまたは複数の識別されたパラメータのうち別個のパラメータは、前記２つ以上の異なる帯域幅キャリアに対して前記周波数間測定を容易にするように構成される、請求項５０に記載のワイヤレス通信システム。
【請求項５３】
前記１つまたは複数の識別されたパラメータのうち同じパラメータは、前記２つ以上の異なる帯域幅キャリアに対して前記周波数間測定を容易にするように構成される、請求項５０に記載のワイヤレス通信システム。
【請求項５４】
メモリと通信可能に結合された少なくとも１つのプロセッサを備えるワイヤレス通信デバイスであって、前記メモリが実行可能コードを備え、前記コードが前記少なくとも１つのプロセッサによって実行されると、前記少なくとも１つのプロセッサに、
２つ以上の異なる帯域幅キャリアに対して周波数間測定を容易にするように構成された１つまたは複数のパラメータを識別することと、ここで、前記帯域幅キャリアのうち少なくとも１つは、通常帯域幅キャリアに対して削減帯域幅を有するフレキシブル帯域幅キャリアである、
前記２つ以上の異なる帯域幅キャリアに対して前記周波数間測定を容易にするために、前記１つまたは複数の識別されたパラメータを１つまたは複数のユーザ機器に送信することと
を行わせ、
前記１つまたは複数の識別されたパラメータのうち少なくとも１つは、前記２つ以上の異なる帯域幅キャリアの各々のために使用されるのと同じパラメータである、ワイヤレス通信デバイス。
【請求項５５】
前記実行可能コードは、前記少なくとも１つのプロセッサに、
前記２つ以上の異なる帯域幅キャリアに対して前記周波数間測定を容易にするために、１つまたは複数のセル探索コヒーレント累積長を低減すること、
前記２つ以上の異なる帯域幅キャリアに対して前記周波数間測定を容易にするために、１つまたは複数のセル探索非コヒーレント累積長を低減すること、
前記２つ以上の異なる帯域幅キャリアに対して前記周波数間測定を容易にするために、送信ギャップパターンの繰り返しの量を増大すること、
前記２つ以上の異なる帯域幅キャリアに対して前記周波数間測定を容易にするために、送信ギャップの長さを増大すること、または
前記２つ以上の異なる帯域幅キャリアに対して前記周波数間測定を容易にするために、ウィンドウサイズを縮小すること
のうち少なくとも１つを実行させる、請求項５４に記載のワイヤレス通信デバイス。
【請求項５６】
前記１つまたは複数の識別されたパラメータのうち別個のパラメータは、前記２つ以上の異なる帯域幅キャリアに対して前記周波数間測定を容易にするように構成される、請求項５４に記載のワイヤレス通信デバイス。
【請求項５７】
前記１つまたは複数の識別されたパラメータのうち同じパラメータは、前記２つ以上の異なる帯域幅キャリアに対して前記周波数間測定を容易にするように構成される、請求項５４に記載のワイヤレス通信デバイス。
【請求項５８】
非一時的コンピュータ可読媒体を備えるフレキシブル帯域幅キャリアシステムの周波数間測定のためのコンピュータプログラム製品であって、
前記非一時的コンピュータ可読媒体は、
２つ以上の異なる帯域幅キャリアに対して前記周波数間測定を容易にするように構成された１つまたは複数のパラメータを識別するように構成されたコードと、ここで、前記帯域幅キャリアのうち少なくとも１つは、通常帯域幅キャリアに対して削減帯域幅を有するフレキシブル帯域幅キャリアである、
前記２つ以上の異なる帯域幅キャリアに対して前記周波数間測定を容易にするために、前記１つまたは複数の識別されたパラメータを１つまたは複数のユーザ機器に送信するように構成されたコードと
を備え、
前記１つまたは複数の識別されたパラメータのうち少なくとも１つは、前記２つ以上の異なる帯域幅キャリアの各々のために使用されるのと同じパラメータである、コンピュータプログラム製品。
【請求項５９】
前記非一時的コンピュータ可読媒体は、
前記２つ以上の異なる帯域幅キャリアに対して前記周波数間測定を容易にするために、１つまたは複数のセル探索コヒーレント累積長を低減するように構成されたコード、
前記２つ以上の異なる帯域幅キャリアに対して前記周波数間測定を容易にするために、１つまたは複数のセル探索非コヒーレント累積長を低減するように構成されたコード、
前記２つ以上の異なる帯域幅キャリアに対して前記周波数間測定を容易にするために、送信ギャップパターンの繰り返しの量を増大するように構成されたコード、
前記２つ以上の異なる帯域幅キャリアに対して前記周波数間測定を容易にするために、送信ギャップの長さを増大するように構成されたコード、または
前記２つ以上の異なる帯域幅キャリアに対して前記周波数間測定を容易にするために、ウィンドウサイズを縮小するように構成されたコード
のうち少なくとも１つをさらに備える、請求項５８に記載のコンピュータプログラム製品。
【請求項６０】
前記１つまたは複数の識別されたパラメータのうち別個のパラメータは、前記２つ以上の異なる帯域幅キャリアに対して前記周波数間測定を容易にするように構成される、請求項５８に記載のコンピュータプログラム製品。
【請求項６１】
前記１つまたは複数の識別されたパラメータのうち同じパラメータは、前記２つ以上の異なる帯域幅キャリアに対して前記周波数間測定を容易にするように構成される、請求項５８に記載のコンピュータプログラム製品。
【手続補正２】
【補正対象書類名】明細書
【補正対象項目名】０１５０
【補正方法】変更
【補正の内容】
【０１５０】
本開示の前述の説明は、当業者が本開示を作成または使用することができるように提供されたものである。本開示への様々な修正は当業者には容易に明らかであり、本明細書で定義した一般原理は、本開示の趣旨または範囲から逸脱することなく他の変形形態に適用できる。本開示全体にわたって、「例」または「例示的」という用語は、一例または一事例を示すものであり、言及した例についての選好を示唆せず、または必要としない。したがって、本開示は、本明細書で説明する例および設計に限定されるべきでなく、本明細書で開示する原理および新規の特徴に合致する最も広い範囲を与えられるべきである。
以下に、本願出願の当初の特許請求の範囲に記載された発明を付記する。
［Ｃ１］
フレキシブル帯域幅キャリアシステムの周波数間測定のための方法であって、
ユーザ機器で、２つ以上の異なる帯域幅キャリアに対して前記周波数間測定を容易にするように構成された１つまたは複数のパラメータを識別することと、ここで、前記帯域幅キャリアのうち少なくとも１つは、フレキシブル帯域幅キャリアである、
前記２つ以上の異なる帯域幅キャリアに対して１つまたは複数の周波数間測定を実行するために、前記１つまたは複数の識別されたパラメータを使用することと
を備える方法。
［Ｃ２］
前記１つまたは複数のパラメータを識別することは、
前記２つ以上の異なる帯域幅キャリアに対して前記周波数間測定を容易にするために、１つまたは複数のセル探索コヒーレント累積長を低減することを備える、Ｃ１に記載の方法。
［Ｃ３］
前記１つまたは複数のパラメータを識別することは、
前記２つ以上の異なる帯域幅キャリアに対して前記周波数間測定を容易にするために、１つまたは複数のセル探索非コヒーレント累積長を低減することを備える、Ｃ１に記載の方法。
［Ｃ４］
前記１つまたは複数のパラメータを識別することは、
前記２つ以上の異なる帯域幅キャリアに対して前記周波数間測定を容易にするために、送信ギャップパターンの繰り返しの増加量を受信することを備える、Ｃ１に記載の方法。
［Ｃ５］
前記１つまたは複数のパラメータを識別することは、
前記２つ以上の異なる帯域幅キャリアに対して前記周波数間測定を容易にするために、送信ギャップ長の増大を受信することを備える、Ｃ１に記載の方法。
［Ｃ６］
前記１つまたは複数のパラメータを識別することは、
前記２つ以上の異なる帯域幅キャリアに対して前記周波数間測定を容易にするために、ウィンドウサイズを縮小することを備える、Ｃ１に記載の方法。
［Ｃ７］
前記１つまたは複数のパラメータを識別することは、少なくとも、
前記ＵＥで、通常帯域幅キャリアシステムのための１つまたは複数の圧縮されたギャップ構成に対応する、フレキシブル帯域幅キャリアシステムのための１つまたは複数の圧縮されたギャップ構成を作成することをさらに備える、Ｃ１に記載の方法。
［Ｃ８］
前記１つまたは複数のパラメータを識別することは、少なくとも、
前記ＵＥで、通常帯域幅キャリアシステムのための１つまたは複数の圧縮されたギャップ構成に対応する、フレキシブル帯域幅キャリアシステムのための１つまたは複数の圧縮されたギャップ構成を記憶することをさらに備える、Ｃ１に記載の方法。
［Ｃ９］
前記１つまたは複数のパラメータを識別することは、少なくとも、
前記ＵＥで、通常セルを探索するための、基地局によって送信された１つまたは複数の圧縮されたギャップ構成を、１つまたは複数のフレキシブル帯域幅セル用の１つまたは複数の他の圧縮されたギャップ構成にマップし、記憶することをさらに備える、Ｃ１に記載の方法。
［Ｃ１０］
前記１つまたは複数のパラメータは、少なくとも１つまたは複数の圧縮モードパラメータ、タイミング情報、または探索パラメータを含む、Ｃ１に記載の方法。
［Ｃ１１］
前記帯域幅キャリアのうち前記少なくとも１つは、通常帯域幅キャリアである、Ｃ１に記載の方法。
［Ｃ１２］
前記帯域幅キャリアのうち前記少なくとも１つは、近接セル内のフレキシブル帯域幅キャリアよりも高い帯域幅をもつ、サービングセル内のフレキシブル帯域幅キャリアを含む、Ｃ１に記載の方法。
［Ｃ１３］
前記周波数間測定は、接続モードにおいて実行される、Ｃ１に記載の方法。
［Ｃ１４］
前記１つまたは複数の識別されたパラメータを使用することは、
前記２つ以上の異なる帯域幅キャリアに対して前記周波数間測定を容易にするために、前記１つまたは複数の識別されたパラメータのうち別個のパラメータを使用することを備える、Ｃ１に記載の方法。
［Ｃ１５］
前記別個のパラメータは、同じ時間に、または別個の時間に使用されるように構成される、Ｃ１４に記載の方法。
［Ｃ１６］
前記２つ以上の異なる帯域幅キャリアに対して前記周波数間測定を容易にするために、無効送信ギャップパターン識別子を使用することをさらに備える、Ｃ１４に記載の方法。
［Ｃ１７］
レガシーユーザ機器を識別するために、前記無効送信ギャップパターン識別子を使用することをさらに備える、Ｃ１６に記載の方法。
［Ｃ１８］
前記１つまたは複数の識別されたパラメータを使用することは、
前記２つ以上の異なる帯域幅キャリアに対して前記周波数間測定を容易にするために、前記１つまたは複数の識別されたパラメータのうち同じ１つまたは複数のパラメータを使用することを備える、Ｃ１に記載の方法。
［Ｃ１９］
前記もう１つのパラメータを識別することは、
前記１つまたは複数のパラメータを受信することを備え、前記１つまたは複数のパラメータは、基地局から送信される、Ｃ１に記載の方法。
［Ｃ２０］
前記もう１つのパラメータを識別することは、
前記１つまたは複数のパラメータを判断することを備え、前記１つまたは複数のパラメータが前記ユーザ機器の記憶媒体に記憶される、Ｃ１に記載の方法。
［Ｃ２１］
前記１つまたは複数のパラメータを使用することは、
通常帯域幅キャリアに対して、およびフレキシブル帯域幅キャリアである前記帯域幅キャリアのうち前記少なくとも１つに対して、前記周波数間測定を容易にするために、前記１つまたは複数の識別されたパラメータのうち同じ１つまたは複数のパラメータを使用することを備える、Ｃ１に記載の方法。
［Ｃ２２］
前記２つ以上の異なる帯域幅キャリアのうち少なくとも１つに対して前記周波数間測定を実行するとき、膨張時間で時刻ソースを稼動することをさらに備える、Ｃ１に記載の方法。
［Ｃ２３］
２つ以上の異なる帯域幅キャリアに対して周波数間測定を容易にするように構成された１つまたは複数のパラメータを識別するための手段と、ここで、前記帯域幅キャリアのうち少なくとも１つがフレキシブル帯域幅キャリアである、
前記２つ以上の異なる帯域幅キャリアに対して１つまたは複数の周波数間測定を実行するために、前記１つまたは複数の識別されたパラメータを使用するための手段と
を備えるワイヤレス通信システム。
［Ｃ２４］
前記１つまたは複数のパラメータを識別するための前記手段は、
前記２つ以上の異なる帯域幅キャリアに対して前記周波数間測定を容易にするために、１つもしくは複数のセル探索コヒーレント累積長を低減するための手段、
前記２つ以上の異なる帯域幅キャリアに対して前記周波数間測定を容易にするために、１つもしくは複数のセル探索非コヒーレント累積長を低減するための手段、
前記２つ以上の異なる帯域幅キャリアに対して前記周波数間測定を容易にするために、送信ギャップパターンの繰り返しの量を増大するための手段、
前記２つ以上の異なる帯域幅キャリアに対して前記周波数間測定を容易にするために、送信ギャップの長さを増大させるための手段、または
前記２つ以上の異なる帯域幅キャリアに対して前記周波数間測定を容易にするために、ウィンドウサイズを縮小するための手段のうち少なくとも１つを備える、Ｃ２３に記載のワイヤレス通信システム。
［Ｃ２５］
前記１つまたは複数の識別されたパラメータを使用するための前記手段は、
前記２つ以上の異なる帯域幅キャリアに対して前記周波数間測定を容易にするために、前記１つまたは複数の識別されたパラメータのうち別個のパラメータを使用するための手段を備える、Ｃ２３に記載のワイヤレス通信システム。
［Ｃ２６］
前記１つまたは複数の識別されたパラメータを使用するための前記手段は、
前記２つ以上の異なる帯域幅キャリアに対して前記周波数間測定を容易にするために、前記１つまたは複数の識別されたパラメータのうち同じ１つまたは複数のパラメータを使用するための手段を備える、Ｃ２３に記載のワイヤレス通信システム。
［Ｃ２７］
前記もう１つのパラメータを識別するための前記手段は、
前記１つまたは複数のパラメータが基地局から送信されるときに、前記１つもしくは複数のパラメータを受信するための手段、または
前記１つもしくは複数のパラメータが前記ワイヤレス装置の記憶媒体に記憶されるときに、前記１つもしくは複数のパラメータを判断するための手段のうち少なくとも１つを備える、Ｃ２３に記載のワイヤレス通信システム。
［Ｃ２８］
メモリと通信可能に結合された少なくとも１つのプロセッサを備えるワイヤレス通信デバイスであって、前記メモリが実行可能コードを備え、前記コードは、前記少なくとも１つのプロセッサによって実行されると、前記少なくとも１つのプロセッサに、
２つ以上の異なる帯域幅キャリアに対して周波数間測定を容易にするように構成された１つまたは複数のパラメータを識別することと、ここで前記帯域幅キャリアのうち少なくとも１つは、フレキシブル帯域幅キャリアである、
前記２つ以上の異なる帯域幅キャリアに対して１つまたは複数の周波数間測定を実行するために、前記１つまたは複数の識別されたパラメータを使用することと
を行わせる、ワイヤレス通信デバイス。
［Ｃ２９］
前記実行可能コードは、前記少なくとも１つのプロセッサに、
前記２つ以上の異なる帯域幅キャリアに対して前記周波数間測定を容易にするために、１つもしくは複数のセル探索コヒーレント累積長を低減すること、
前記２つ以上の異なる帯域幅キャリアに対して前記周波数間測定を容易にするために、１つもしくは複数のセル探索非コヒーレント累積長を低減すること、
前記２つ以上の異なる帯域幅キャリアに対して前記周波数間測定を容易にするために、送信ギャップパターンの繰り返しの量を増大すること、
前記２つ以上の異なる帯域幅キャリアに対して前記周波数間測定を容易にするために、送信ギャップの長さを増大すること、または
前記２つ以上の異なる帯域幅キャリアに対して前記周波数間測定を容易にするために、ウィンドウサイズを縮小することのうち少なくとも１つを実行させる、Ｃ２８に記載のワイヤレス通信デバイス。
［Ｃ３０］
前記実行可能コードは、前記少なくとも１つのプロセッサに、
前記２つ以上の異なる帯域幅キャリアに対して前記周波数間測定を容易にするために、前記１つまたは複数の識別されたパラメータのうち別個のパラメータを使用することを行わせる、Ｃ２８に記載のワイヤレス通信デバイス。
［Ｃ３１］
前記実行可能コードは、前記少なくとも１つのプロセッサに、
前記２つ以上の異なる帯域幅キャリアに対して前記周波数間測定を容易にするために、前記１つまたは複数の識別されたパラメータのうち同じ１つまたは複数のパラメータを使用することを行わせる、Ｃ２８に記載のワイヤレス通信デバイス。
［Ｃ３２］
前記実行可能コードは、前記少なくとも１つのプロセッサに、
前記１つまたは複数のパラメータが基地局から送信されると、前記１つもしくは複数のパラメータを受信すること、または
前記１つもしくは複数のパラメータが前記ワイヤレス通信デバイスの記憶媒体に記憶されると、前記１つもしくは複数のパラメータを判断することのうち少なくとも１つを実行させる、Ｃ２８に記載のワイヤレス通信デバイス。
［Ｃ３３］
非一時的コンピュータ可読媒体を備えるフレキシブル帯域幅キャリアシステムの周波数間測定のためのコンピュータプログラム製品であって、
前記非一時的コンピュータ可読媒体は、
ユーザ機器で、２つ以上の異なる帯域幅キャリアに対して周波数間測定を容易にするように構成された１つまたは複数のパラメータを識別するように構成されたコードと、ここで、前記帯域幅キャリアのうち少なくとも１つは、フレキシブル帯域幅キャリアである、
前記１つまたは複数の識別されたパラメータを使用して、前記２つ以上の異なる帯域幅キャリアに対して１つまたは複数の周波数間測定を実行するように構成されたコードと
を備える、コンピュータプログラム製品。
［Ｃ３４］
非一時的コンピュータ可読媒体は、
前記２つ以上の異なる帯域幅キャリアに対して前記周波数間測定を容易にするために、１つもしくは複数のセル探索コヒーレント累積長を低減するように構成されたコード、
前記２つ以上の異なる帯域幅キャリアに対して前記周波数間測定を容易にするために、１つもしくは複数のセル探索非コヒーレント累積長を低減するように構成されたコード、
前記２つ以上の異なる帯域幅キャリアに対して前記周波数間測定を容易にするために、送信ギャップパターンの繰り返しの量を増大するように構成されたコード、
前記２つ以上の異なる帯域幅キャリアに対して前記周波数間測定を容易にするために、送信ギャップの長さを増大するように構成されたコード、または
前記２つ以上の異なる帯域幅キャリアに対して前記周波数間測定を容易にするために、ウィンドウサイズを縮小するように構成されたコードのうち少なくとも１つをさらに備える、Ｃ３３に記載のコンピュータプログラム製品。
［Ｃ３５］
非一時的コンピュータ可読媒体が、
前記２つ以上の異なる帯域幅キャリアに対して前記周波数間測定を容易にするために、前記１つまたは複数の識別されたパラメータのうち別個のパラメータを使用するように構成されたコードをさらに備える、Ｃ３３に記載のコンピュータプログラム製品。
［Ｃ３６］
非一時的コンピュータ可読媒体は、
前記２つ以上の異なる帯域幅キャリアに対して前記周波数間測定を容易にするために、前記１つまたは複数の識別されたパラメータのうち同じ１つまたは複数のパラメータを使用するように構成されたコードをさらに備える、Ｃ３３に記載のコンピュータプログラム製品。
［Ｃ３７］
非一時的コンピュータ可読媒体は、
前記１つもしくは複数のパラメータが基地局から送信されると、前記１つもしくは複数のパラメータを受信するように構成されたコード、または
前記１つもしくは複数のパラメータが前記ユーザ機器の記憶媒体に記憶されると、前記１つもしくは複数のパラメータを判断するように構成されたコードのうち少なくとも１つをさらに備える、Ｃ３３に記載のコンピュータプログラム製品。
［Ｃ３８］
フレキシブル帯域幅キャリアシステムの周波数間測定のための方法であって、
２つ以上の異なる帯域幅キャリアに対して前記周波数間測定を容易にするように構成された１つまたは複数のパラメータを識別することと、ここで、前記帯域幅キャリアのうち少なくとも１つがフレキシブル帯域幅キャリアである、
前記２つ以上の異なる帯域幅キャリアに対して前記周波数間測定を容易にするために、前記１つまたは複数の識別されたパラメータを１つまたは複数のユーザ機器に送信することと
を備える方法。
［Ｃ３９］
前記１つまたは複数のパラメータを識別することは、
前記２つ以上の異なる帯域幅キャリアに対して前記周波数間測定を容易にするために、１つまたは複数のセル探索コヒーレント累積長を低減することを備える、Ｃ３８に記載の方法。
［Ｃ４０］
前記１つまたは複数のパラメータを識別することは、
前記２つ以上の異なる帯域幅キャリアに対して前記周波数間測定を容易にするために、１つまたは複数の非コヒーレント累積長を低減することを備える、Ｃ３８に記載の方法。
［Ｃ４１］
前記１つまたは複数のパラメータを識別することは、
前記２つ以上の異なる帯域幅キャリアに対して前記周波数間測定を容易にするために、送信ギャップパターンの繰り返しの量を増大させることを備える、Ｃ３８に記載の方法。
［Ｃ４２］
前記１つまたは複数のパラメータを識別することは、
前記２つ以上の異なる帯域幅キャリアに対して周波数間測定を容易にするために、送信ギャップの長さを増大することを備える、Ｃ３８に記載の方法。
［Ｃ４３］
前記１つまたは複数のパラメータを識別することは、
前記２つ以上の異なる帯域幅キャリアに対して周波数間測定を容易にするために、ウィンドウサイズを縮小することを備える、Ｃ３８に記載の方法。
［Ｃ４４］
前記１つまたは複数の識別されたパラメータは、少なくとも１つまたは複数の圧縮モードパラメータ、タイミング情報、または探索パラメータを含む、Ｃ３８に記載の方法。
［Ｃ４５］
前記帯域幅キャリアのうち前記少なくとも１つは、通常帯域幅キャリアである、Ｃ３８に記載の方法。
［Ｃ４６］
前記１つまたは複数の識別されたパラメータのうち別個のパラメータは、前記２つ以上の異なる帯域幅キャリアに対して前記周波数間測定を容易にするように構成される、Ｃ３８に記載の方法。
［Ｃ４７］
前記１つまたは複数の識別されたパラメータのうち同じパラメータは、前記２つ以上の異なる帯域幅キャリアに対して前記周波数間測定を容易にするように構成される、Ｃ３８に記載の方法。
［Ｃ４８］
前記もう１つのパラメータを識別することは、
前記１つまたは複数のパラメータを判断することを備え、前記１つまたは複数のパラメータは、記憶媒体に記憶される、Ｃ３８に記載の方法。
［Ｃ４９］
前記１つまたは複数の識別されたパラメータのうち同じパラメータは、通常帯域幅キャリアに対して、およびフレキシブル帯域幅キャリアである前記帯域幅キャリアのうち前記少なくとも１つに対して、前記周波数間測定を容易にするように構成される、Ｃ３８に記載の方法。
［Ｃ５０］
２つ以上の異なる帯域幅キャリアに対して周波数間測定を容易にするように構成された１つまたは複数のパラメータを識別するための手段と、ここで、前記帯域幅キャリアのうち少なくとも１つがフレキシブル帯域幅キャリアである、
前記２つ以上の異なる帯域幅キャリアに対して前記周波数間測定を容易にするために、前記１つまたは複数の識別されたパラメータを１つまたは複数のユーザ機器に送信するための手段と
を備える、ワイヤレス通信システム。
［Ｃ５１］
前記１つまたは複数のパラメータを識別するための前記手段は、
前記２つ以上の異なる帯域幅キャリアに対して前記周波数間測定を容易にするために、１つもしくは複数のセル探索コヒーレント累積長を低減するための手段、
前記２つ以上の異なる帯域幅キャリアに対して前記周波数間測定を容易にするために、１つもしくは複数のセル探索非コヒーレント累積長を低減するための手段、
前記２つ以上の異なる帯域幅キャリアに対して前記周波数間測定を容易にするために、送信ギャップパターンの繰り返しの量を増大するための手段、
前記２つ以上の異なる帯域幅キャリアに対して前記周波数間測定を容易にするために、送信ギャップの長さを増大するための手段、または
前記２つ以上の異なる帯域幅キャリアに対して前記周波数間測定を容易にするために、ウィンドウサイズを縮小するための手段のうち少なくとも１つを備える、Ｃ５０に記載のワイヤレス通信システム。
［Ｃ５２］
前記１つまたは複数の識別されたパラメータのうち別個のパラメータは、前記２つ以上の異なる帯域幅キャリアに対して前記周波数間測定を容易にするように構成される、Ｃ５０に記載のワイヤレス通信システム。
［Ｃ５３］
前記１つまたは複数の識別されたパラメータのうち同じパラメータは、前記２つ以上の異なる帯域幅キャリアに対して前記周波数間測定を容易にするように構成される、Ｃ５０に記載のワイヤレス通信システム。
［Ｃ５４］
メモリと通信可能に結合された少なくとも１つのプロセッサを備えるワイヤレス通信デバイスであって、前記メモリが実行可能コードを備え、前記コードが前記少なくとも１つのプロセッサによって実行されると、前記少なくとも１つのプロセッサに、
２つ以上の異なる帯域幅キャリアに対して周波数間測定を容易にするように構成された１つまたは複数のパラメータを識別することと、ここで、前記帯域幅キャリアのうち少なくとも１つがフレキシブル帯域幅キャリアである、
前記２つ以上の異なる帯域幅キャリアに対して前記周波数間測定を容易にするために、前記１つまたは複数の識別されたパラメータを１つまたは複数のユーザ機器に送信することと
を行わせる、ワイヤレス通信デバイス。
［Ｃ５５］
前記実行可能コードは、前記少なくとも１つのプロセッサに、
前記２つ以上の異なる帯域幅キャリアに対して前記周波数間測定を容易にするために、１つもしくは複数のセル探索コヒーレント累積長を低減すること、
前記２つ以上の異なる帯域幅キャリアに対して前記周波数間測定を容易にするために、１つもしくは複数のセル探索非コヒーレント累積長を低減すること、
前記２つ以上の異なる帯域幅キャリアに対して前記周波数間測定を容易にするために、送信ギャップパターンの繰り返しの量を増大すること、
前記２つ以上の異なる帯域幅キャリアに対して前記周波数間測定を容易にするために、送信ギャップの長さを増大すること、または
前記２つ以上の異なる帯域幅キャリアに対して前記周波数間測定を容易にするために、ウィンドウサイズを縮小することのうち少なくとも１つを実行させる、Ｃ５４に記載のワイヤレス通信デバイス。
［Ｃ５６］
前記１つまたは複数の識別されたパラメータのうち別個のパラメータは、前記２つ以上の異なる帯域幅キャリアに対して前記周波数間測定を容易にするように構成される、Ｃ５４に記載のワイヤレス通信デバイス。
［Ｃ５７］
前記１つまたは複数の識別されたパラメータのうち同じパラメータは、前記２つ以上の異なる帯域幅キャリアに対して前記周波数間測定を容易にするように構成される、Ｃ５４に記載のワイヤレス通信デバイス。
［Ｃ５８］
非一時的コンピュータ可読媒体を備えるフレキシブル帯域幅キャリアシステムの周波数間測定のためのコンピュータプログラム製品であって、
前記非一時的コンピュータ可読媒体は、
２つ以上の異なる帯域幅キャリアに対して前記周波数間測定を容易にするように構成された１つまたは複数のパラメータを識別するように構成されたコードと、ここで、前記帯域幅キャリアのうち少なくとも１つは、フレキシブル帯域幅キャリアである、
前記２つ以上の異なる帯域幅キャリアに対して前記周波数間測定を容易にするために、前記１つまたは複数の識別されたパラメータを１つまたは複数のユーザ機器に送信するように構成されたコードと
を備える、コンピュータプログラム製品。
［Ｃ５９］
前記非一時的コンピュータ可読媒体は、
前記２つ以上の異なる帯域幅キャリアに対して前記周波数間測定を容易にするために、１つもしくは複数のセル探索コヒーレント累積長を低減するように構成されたコード、
前記２つ以上の異なる帯域幅キャリアに対して前記周波数間測定を容易にするために、１つもしくは複数のセル探索非コヒーレント累積長を低減するように構成されたコード、
前記２つ以上の異なる帯域幅キャリアに対して前記周波数間測定を容易にするために、送信ギャップパターンの繰り返しの量を増大するように構成されたコード、
前記２つ以上の異なる帯域幅キャリアに対して前記周波数間測定を容易にするために、送信ギャップの長さを増大するように構成されたコード、または
前記２つ以上の異なる帯域幅キャリアに対して前記周波数間測定を容易にするために、ウィンドウサイズを縮小するように構成されたコードのうち少なくとも１つをさらに備える、Ｃ５８に記載のコンピュータプログラム製品。
［Ｃ６０］
前記１つまたは複数の識別されたパラメータのうち別個のパラメータは、前記２つ以上の異なる帯域幅キャリアに対して前記周波数間測定を容易にするように構成される、Ｃ５８に記載のコンピュータプログラム製品。
［Ｃ６１］
前記１つまたは複数の識別されたパラメータのうち同じパラメータは、前記２つ以上の異なる帯域幅キャリアに対して前記周波数間測定を容易にするように構成される、Ｃ５８に記載のコンピュータプログラム製品。